(57)【要約】      （修正有）【課題】定型のカードを保持するカードホルダーに係わるもので、カレンダーカードのホルダー等に好適で卓上に起立させる他にパソコンの薄型液晶ディスプレイの上辺縁に掛け止めることができるカードホルダーを提供する。【解決手段】カードを保持する二枚の表支持板１と裏支持板２とを向い合わせとしてその上辺部分を連結し、その表支持板１の両側辺となる下方部分を除く上方部分より折り曲げ部４を介して表支持板１と裏支持板２とを掛け渡して固定状態となる側板５を設け、その側板５には裏支持板２の側辺より突設している突片部６と係止する切溝７を少なくとも一箇所に設けたカードホルダー。【選択図】図１
0003129633.tif 000002
【実用新案登録請求の範囲】
【請求項１】
保持すべきカードに対応して形成され、そのカードを保持する二枚の表支持板と裏支持板とを向い合わせとしてその上辺部分を屈曲部によって連結し、その表支持板の両側辺となる下方部分を除く上方部分より折り曲げ部を介して表支持板と裏支持板とを掛け渡す状態となる側板を設け、その側板には裏支持板の側辺より突設している突片部と係止する切溝を少なくとも一箇所に設けたことを特徴とするカードホルダー。
【請求項２】
表支持板の両側辺より設けた両側板の上端部分に、カードの上辺部両端に突出する掛け突部が形成されているカードを吊着する環状部を設けたことを特徴とする請求項１記載のカードホルダー。
【請求項３】
表支持板と裏支持板との上辺部分を連結した屈曲部を、表支持板と裏支持板との上辺部分に横に並ぶ複数の横並び孔を設け、その横並び孔と保持されるカードに設けた横に並ぶ複数の横並び孔とを綴込み用リングによって連結したことを特徴とする請求項１記載のカードホルダー。
【請求項４】
表支持板と裏支持板との上辺部分を連結した屈曲部を、表支持板と裏支持板との上辺部分において接着剤等による幅のある帯状とした接合部によって連結したことを特徴とする請求項１記載のカードホルダー。
【請求項５】
表支持板の両側辺より設ける側板を裏支持板の両側辺より設け、その両側板を表支持板の表面より外側に大きく突出する大形側板として形成し、その大形側板には表支持板の両側辺より突設している突片部と係止する切溝を少なくとも一箇所に設けたことを特徴とする請求項１記載のカードホルダー。
【考案の詳細な説明】
【技術分野】
【０００１】
この考案は、定型のカードを保持するカードホルダーに係わるもので、カレンダー、絵本、名刺ホルダー等に好適であり、卓上に起立させる他にパソコンの薄型液晶ディスプレイの上辺縁に掛け止めることができるカードホルダーに関するものである。
【背景技術】
【０００２】
従来の特許文献１における二等辺三角形の筒状とした卓上カレンダーでは、起立ホルダーをパソコンの薄型液晶ディスプレイや間仕切り用フェンスの上辺縁に掛け止めて使用することを考えていものでわなく卓上や平坦な面の上に起立させるもので、特許文献２における卓上カレンダーであっても卓上や平坦な面の上に起立させるものであった。
【０００３】
【特許文献１】特開２００６−２４０２７３号公報
【特許文献２】特開２００３−１１２４９２号公報
【考案の開示】
【考案が解決しようとする課題】
【０００４】
最近の卓上での仕事はパソコンによる作業に変ってきているもので、従来の特許文献１に示す起立台紙を使用するときには卓上や棚等の上に置く場所が狭くなっており、パソコンの液晶ディスプレイの上辺縁に取り付けることが出来ず置き場に困る欠点があった。
【０００５】
また、特許文献２におけるカードホルダーや卓上カレンダーとしているものは、平面の上に置くものとしていて、薄型液晶ディスプレイや間仕切り用フェンスの上辺縁に掛け止める使用方法を考えていないものであるから、最近の仕事場にあっては卓上での置き場に困る欠点があった。
【０００６】
そこで、この考案は、現代における薄型液晶ディスプレイの発展に伴なって、これらに利用することが出来るカードホルダーを提供することが課題である。
【課題を解決するための手段】
【０００７】
本考案は、保持すべきカードに対応して形成され、そのカードを保持する二枚の表支持板１と裏支持板２とを向い合わせとしてその上辺部分を屈曲部３によって連結し、その表支持板１の両側辺となる下方部分を除く上方部分より折り曲げ部４を介して表支持板１と裏支持板２とを掛け渡して固定状態となる側板５を設け、その側板５には裏支持板２の側辺より突設している突片部６と係止する切溝７を少なくとも一箇所に設けたカードホルダー８であって、側板５の下辺と表支持板１と裏支持板２とによって形成される凹部９を薄型液晶ディスプレイや間仕切り用フェンス等の上辺縁に掛け止めるものとしている。
【０００８】
そして、表支持板１の両側辺より設けた両側板５，５の上端部分に、カードの上辺部両端に突出する掛け突部１０が形成されている突付きカード１１を吊り下げることが出来る環状部１２を設けることが考えられる。
【０００９】
また、表支持板１と裏支持板２との上辺部分を連結した屈曲部３を、表支持板１と裏支持板２との上辺部分に横に並ぶ複数の横並び孔１３を設け、その横並び孔１３と保持されるカレンダーカード１４に設けた横に並ぶ複数のカード孔１５とを綴込み用リング１６によって連結することも考えられる。
【００１０】
更に、表支持板１と裏支持板２との上辺部分を連結した屈曲部３を、表支持板１と裏支持板２との上辺部分において接着剤等による幅のある帯状とした接合部１７によって連結することが出来るものである。
【００１１】
それから、表支持板１の両側辺より設けた側板５を、裏支持板２の両側辺より設けて表支持板１の表面より外側に大きく突出する大形側板１８として形成し、その大形側板１８には表支持板１の両側辺より突設している突片部６と係止する切溝７を少なくとも一箇所に設けたものとすることが考えられる。
【００１２】
この大形側板１８に筆記具等を掛け止める窪み１９や貫通孔２０を設けることが考えられるものであって、本考案におけるカードホルダーの素材は厚紙である紙類の他にエコ紙や合成樹脂類等を使用することが考えられるものである。
【考案の効果】
【００１３】
本考案に関するカードホルダーは、最近の卓上での仕事がパソコンによる作業に変ってきて卓上や棚等の上では物を置く場所が狭くなっていても、パソコンの液晶ディスプレイの上辺縁に取り付けることが出来るもので置き場に困ることが無くなり、間仕切り用フェンスの上辺縁に掛け止めて使用することもできるものであるから、最近のオフィスにおいて使い易いカードホルダーとなるものである。
【考案を実施するための最良の形態】
【００１４】
以下、実施例を図面にもとづいて説明する。
【実施例１】
【００１５】
本考案に係わる一つの実施例としては、板紙を図１及び図２に示すように、保持すべきカードに対応して形成され、そのカードを保持する二枚の表支持板１と裏支持板２とを向い合わせ状態としてその上辺部分を屈曲部３によって連結したものとしていて、その表支持板１の両側辺となる下方部分を除く上方部分より折り曲げ部４を介して表支持板１と裏支持板２とが開き離れないように掛け渡して固定状態とする側板５を設けたものとしている。
【００１６】
そして、裏支持板２の側辺からは突片部６を突設し、側板５には裏支持板２の側辺からの突片部６と係止する切溝７を少なくとも一箇所に設けたカードホルダー８としている。
【００１７】
このカードホルダー８を使用するときには、側板５の下辺と表支持板１と裏支持板２とによって形成される凹部９を薄型液晶ディスプレイや間仕切り用フェンス等の上辺縁に掛け止めるものとしているので、パソコンで卓上が狭い状態になっていてもカードホルダー８を使用することが出来るものとしている。。
【００１８】
そして、表支持板１の両側辺より設けた両側板５，５の上端部分に、カードの上辺部両端に突出する掛け突部１０が形成されている突付きカード１１を吊り下げることが出来る環状部１２を設けたものとしている。
【実施例２】
【００１９】
本考案に係わる他の実施例としては、図３に示すように、表支持板１と裏支持板２との上辺部分を連結した屈曲部３を表支持板１と裏支持板２との上辺部分に横に並ぶ複数の横並び孔１３を設けて綴込み用リング１６によって連結したものに変え、そのカードホルダー８に保持されるカレンダーカード１４にもその横並び孔１３と同じように横に並ぶ複数のカード孔１５を設けて横並び孔１３とカード孔１５とを綴込み用リング１６によって連結するカードホルダー８とし、その表支持板１と裏支持板２とが開き離れないように掛け渡して固定状態とする側板５を表支持板１の側辺となる上方部分と下方部分を除く中央部分から設け、表支持板１より設けた側板５の切溝７と裏支持板２に設けた突片部６とで係止するものとすることでが考えられる。
【実施例３】
【００２０】
更に、本考案に係わるその他の実施例としてはカードの左右両端を表支持板１に設けた左右の切線に掛け止めるもので、図４に示すように、表支持板１と裏支持板２との上辺部分を連結した屈曲部３を、表支持板１と裏支持板２との上辺部分においてのりや接着剤等による幅のある帯状とした接合部１７によって連結したものに変え、その表支持板１と裏支持板２とが開き離れないように掛け渡して固定状態とする側板５を表支持板１の側辺となる上方部分と下方部分を除く中央部分から設け、表支持板１より設けた側板５の切溝７と裏支持板２に設けた突片部６とで係止することが出来るものとしている。
【実施例４】
【００２１】
それから、本考案に係わる別の実施例としては、図５に示すように、裏支持板２の側辺となる下方部分を除く上方部分までの側辺より設けた側板５を、裏支持板２の両側辺より設けて表支持板１の表面より外側に突出とてから大きく突出する大形側板１８として形成し、その大形側板１８には表支持板１の両側辺より突設している突片部６と係止する切溝７を少なくとも一箇所に設けたものすることが考えられる。
【００２２】
この大形側板１８は用途に適した形状や美感を加える形状等にすることができ、筆記具等を掛け止める窪み１９や貫通孔２０を設けることが考えられるものであって、カードホルダーに保持されたカレンダーに予定事項を記入することがあるときには、掛け止めてある筆記具を瞬時に使用することが出来るものである。
【００２３】
本考案におけるカードホルダーの素材は、厚紙である紙類の他にエコ紙や合成樹脂類等を使用することが考えられるものである。
【図面の簡単な説明】
【００２４】
【図１】本考案に係わる一つの実施例を示す表支持板側からの斜視図である。
【図２】本考案に係わる一つの実施例を示す裏支持板側からの斜視図である。
【図３】本考案の他の実施例を示す斜視図である。
【図４】本考案のその他の実施例を示す斜視図である。
【図５】本考案の別のの実施例を示す斜視図である。
【符号の説明】
【００２５】
１  表支持板
２  裏支持板
３  屈曲部
４  折り曲げ部
５  側板
６  突片部
７  切溝
８  カードホルダー
９  凹部
１０  掛け突部
１１  突付きカード
１２  環状部
１３  横並び孔
１４  カレンダーカード
１５  カード孔
１６  綴込み用リング
１７  接合部
１８  大形側板
１９  窪み
２０  貫通孔
【図１】
0003129633.tif 000003
【図２】
0003129633.tif 000004
【図３】
0003129633.tif 000005
【図４】
0003129633.tif 000006
【図５】
0003129633.tif 000007